(57)【要約】      （修正有）【課題】ミストノズル、ダイヤフラムポンプ、モーターなどの構成部材が組付けられるケース構造を簡素化して、各構成部品の組付けや部品交換などをより少ない手間で簡便に行える噴霧器を提供する。【解決手段】ミストノズル１２と、ミスト原液を収容するタンク１３と、エアーポンプ１４と、同ポンプ１４を駆動するモーター１５および電池１６と、これらの各機器を収容する本体ケース１を備えている。ミストノズル１２は、本体ケース１の内部に固定したノズルケース１１で支持されて、そのノズル口５７が本体ケース１の外面に臨ませてある。ミストノズル１２の給気口６０と、エアーポンプ１４の吐出部２８とは給気管６６を介して接続する。左ケース体と右ケース体とでノズルケース１１を構成し、その区画壁３５の接合部に設けた保持穴４３で給気管６６の中途部を遊動不能に挟持固定する。【選択図】図４
2015051410.tif 000002
【特許請求の範囲】
【請求項１】
ミストノズル（１２）と、ミスト原液を収容するタンク（１３）と、エアーポンプ（１４）と、同ポンプ（１４）を駆動するモーター（１５）および電池（１６）と、これらの各機器を収容する本体ケース（１）を備えている噴霧器であって、
ミストノズル（１２）は、本体ケース（１）の内部に固定したノズルケース（１１）で支持されており、
ミストノズル（１２）の給気口（６０）と、エアーポンプ（１４）の吐出部（２８）とが給気管（６６）を介して接続してあることを特徴とする噴霧器。
【請求項２】
ノズルケース（１１）が左右に２分割された左ケース体（１１Ｌ）と右ケース体（１１Ｒ）とで構成されて、ミストノズル（１２）が両ケース体（１１Ｌ・１１Ｒ）で挟持固定されており、
給気管（６６）の中途部が、左ケース体（１１Ｌ）と右ケース体（１１Ｒ）との接合部に設けた保持穴（４３）で遊動不能に挟持固定してある請求項１に記載の噴霧器。
【請求項３】
本体ケース（１）の内部上方にノズルケース（１１）が組付けられており、
本体ケース（１）の上部に、モーター（１５）用のスイッチ（４８）を切換え操作するスイッチ操作具（４）が配置されており、
ノズルケース（１１）の上壁（４１）が、スイッチ操作具（４）を支持するスイッチベースを兼ねている請求項１または２に記載の噴霧器。
【請求項４】
ノズルケース（１１）の上壁（４１）に開口したスイッチ窓（４２）の開口縁に、スイッチ窓（４２）を水密状に封止するシール体（１００）が装着されており、
スイッチ操作具（４）の切換え動作をシール体（１００）を介してスイッチ（４８）に伝える請求項３に記載の噴霧器。
【請求項５】
ノズルケース（１１）の下端に、タンク（１３）の上部に設けた接続部（８６）を接続するための連結具（４７）が固定されており、
ミストノズル（１２）と連結具（４７）とが給液管（６８）を介して接続されており、
ミストノズル（１２）と給液管（６８）との接続部中心を、連結具（４７）と給液管（６８）との接続部中心よりも前方に位置させて、給液管（６８）の中途部の２個所に屈曲通路部（７０）が形成してある請求項１から４のいずれかひとつに記載の噴霧器。
【請求項６】
左ケース体（１１Ｌ）および右ケース体（１１Ｒ）に給気管（６６）と交差する区画壁（３５）が設けられており、
区画壁（３５）の接合部に、前記保持穴（４３）と、給気管（６６）の中途部を支持する管支持壁（４４）とが形成されており、
給気管（６６）の中途部を管支持壁（４４）で湾曲案内して、給気管（６６）の屈曲部（６９）を所定形状に保持している請求項２から５のいずれかひとつに記載の噴霧器。
【請求項７】
ノズルケース（１１）の後方下側に電装ケース（１０）が配置されており、
電装ケース（１０）の上部にエアーポンプ（１４）とモーター（１５）が組付けてある請求項２から６のいずれかひとつに記載の噴霧器。
【請求項８】
電装ケース（１０）に、エアーポンプ（１４）と、モーター（１５）と、電池（１６）と、回路基板（１８）とが組付けられており、
電装ケース（１０）の上部複数個所を左ケース体（１１Ｌ）と右ケース体（１１Ｒ）とで挟持した状態で、両ケース体（１１Ｌ・１１Ｒ）を締結具（１０２）で締結することにより、電装ケース（１０）とノズルケース（１１）とが一体化されて作動ユニット（２）を構成しており、
作動ユニット（２）が、本体ケース（１）内に着脱可能に差込み装填してある請求項７に記載の噴霧器。
【発明の詳細な説明】
【技術分野】
【０００１】
本発明は、顔肌や髪に化粧水のミストや髪用の美容用液のミストを噴霧する美容用のミスト器、あるいはのどおよび口腔内に薬液のミストを噴霧する吸入器として使用される噴霧器に関する。
【背景技術】
【０００２】
この種の噴霧器は、例えば特許文献１に公知である。そこでは、本体ケースの内部に内ケースを収容し、内ケースにミストノズルと、ダイヤフラムポンプと、モーターを組付け、タンク（給液タンク）を内ケースに対して着脱可能に装着している。ミストノズルの噴霧中心軸は、斜め上向きに傾斜させてあり、ミストノズルの後方に位置する内ケースの縦壁にダイヤフラムポンプが組付けてある。ダイヤフラムポンプは、モーターの出力軸に固定した偏心カムで往復駆動されて、加圧された空気をミストノズルに送給し、ミストノズルにおけるベンチュリー作用によってタンクから吸い上げた水または薬液をミスト化して噴霧筒へ送出する。本体ケースの下部には、前後一対の電池が収容してある。
【０００３】
特許文献２にも同様の噴霧器（吸入器）が開示されており、そこでは、縦筒部と横筒部とで本体ケースをＬ字状に構成し、本体ケースの内部に設けた内ケースに、ミストノズルと、ダイヤフラムポンプと、モーターなどを組付けている。モーターの後側には左右一対の電池が配置してある。縦筒部の前面と横筒部の下面とで形成される入隅状のタンク装着部には、タンク（薬液タンク）が着脱自在に装着してある。
【先行技術文献】
【特許文献】
【０００４】
【特許文献１】特公昭５８−４４０２９号公報（第２頁左欄１１行〜２３行、第６図）
【特許文献２】実公昭６２−０９８７２号公報（第１頁右欄４行〜２５行、第４図）
【発明の概要】
【発明が解決しようとする課題】
【０００５】
特許文献１の噴霧器においては、内ケースにミストノズル、ダイヤフラムポンプ、モーター、およびタンクなどの主な構成部材を装着するので、各構成部材を位置関係にばらつきのない状態で内ケースと一体化できる。また、内ケースに空気通路や液通路を設けるので、ミストの生成を安定した状態で行える。しかし、各構成部材に対応した装着部を設ける必要があるので内ケースの全体構造が複雑になるうえ、落下衝撃を受けて内ケースの一部が破損した場合などに、内ケースの全体を交換する必要がある。また、内ケースに設けた空気通路や液通路のシールが劣化した場合には、噴霧器の全体を分解して劣化したシールを交換する必要があり、一連の交換作業に多くの手間とコストが掛かる。特許文献２の噴霧器においても同様の問題がある。
【０００６】
本発明の目的は、離れた位置に配置されるミストノズルとエアーポンプとを適正に接続して、ミストの生成を的確に行うことができ、さらに、ミストノズルやエアーポンプなどの構成部材が組付けられるケース構造を簡素化して、各構成部品の組付けや部品交換などをより少ない手間で簡便に行える噴霧器を提供することにある。
【課題を解決するための手段】
【０００７】
本発明に係る噴霧器は、ミストノズル１２と、ミスト原液を収容するタンク１３と、エアーポンプ１４と、同ポンプ１４を駆動するモーター１５および電池１６と、これらの各機器を収容する本体ケース１を備えている。ミストノズル１２は、本体ケース１の内部に固定したノズルケース１１で支持されている。ミストノズル１２の給気口６０と、エアーポンプ１４の吐出部２８とが給気管６６を介して接続してあることを特徴とする。
【０００８】
ノズルケース１１は左右に２分割された左ケース体１１Ｌと右ケース体１１Ｒとで構成されていて、ミストノズル１２を両ケース体１１Ｌ・１１Ｒで挟持固定している。給気管６６の中途部は、左ケース体１１Ｌと右ケース体１１Ｒとの接合部に設けた保持穴４３で遊動不能に挟持固定する。
【０００９】
本体ケース１の内部上方にノズルケース１１を組付ける。本体ケース１の上部に、モーター１５用のスイッチ４８を切換え操作するスイッチ操作具４を配置する。ノズルケース１１の上壁４１がスイッチ操作具４を支持するスイッチベースを兼ねるようにする。
【００１０】
ノズルケース１１の上壁４１に開口したスイッチ窓４２の開口縁に、スイッチ窓４２を水密状に封止するシール体１００を装着する。スイッチ操作具４の切換え動作をシール体１００を介してスイッチ４８に伝えるようにする。
【００１１】
ノズルケース１１の下端に、タンク１３の上部に設けた接続部８６を接続するための連結具４７を固定する。ミストノズル１２と連結具４７とは給液管６８を介して接続する。ミストノズル１２と給液管６８との接続部中心を、連結具４７と給液管６８との接続部中心よりも前方に位置させて、給液管６８の中途部の２個所に屈曲通路部７０を形成する。
【００１２】
左ケース体１１Ｌおよび右ケース体１１Ｒに給気管６６と交差する区画壁３５を設ける。区画壁３５の接合部に、前記保持穴４３と、給気管６６の中途部を支持する管支持壁４４とを形成する。給気管６６の中途部を管支持壁４４で湾曲案内して、給気管６６の屈曲部６９を所定形状に保持する。
【００１３】
ノズルケース１１の後方下側に電装ケース１０を配置する。電装ケース１０の上部にエアーポンプ１４とモーター１５を組付ける。
【００１４】
電装ケース１０に、エアーポンプ１４と、モーター１５と、電池１６と、回路基板１８とを組付ける。電装ケース１０の上部複数個所を左ケース体１１Ｌと右ケース体１１Ｒとで挟持した状態で、両ケース体１１Ｌ・１１Ｒを締結具１０２で締結することにより、電装ケース１０とノズルケース１１とが一体化されて作動ユニット２を構成している。作動ユニット２は、本体ケース１内に着脱可能に差込み装填する。
【発明の効果】
【００１５】
本発明においては、本体ケース１の内部に固定したノズルケース１１でミストノズル１２を支持し、本体ケース１内に配置したエアーポンプ１４の吐出部２８と、ミストノズル１２の給気口６０とを給気管６６を介して接続するようにした。このように、離れた位置に配置したミストノズル１２とエアーポンプ１４とを給気管６６を介して接続すると、両者１２・１４の位置関係に多少のばらつきがあったとしても、同じ管長の給気管６６でミストノズル１２とエアーポンプ１４とを適正に接続できる。従って、エアーポンプ１４からミストノズル１２へ送給される加圧空気の流れを一定にして、ミストの生成を的確に行うことができる。また、ミストノズル１２を本体ケース１の内部に固定したノズルケース１１で支持するので、内ケースにミストノズル、ダイヤフラムポンプ、モーター、およびタンクなどの主な構成部材を装着していた従来の噴霧器に比べて、ノズルケース１１の構造を簡素化できる。
【００１６】
左右のケース体１１Ｌ・１１Ｒでノズルケース１１を構成し、両ケース体１１Ｌ・１１Ｒでミストノズル１２を挟持固定し、さらに両ケース体１１Ｌ・１１Ｒの接合部に設けた保持穴４３で給気管６６の中途部を挟持固定すると、ミストノズル１２と給気管６６の位置関係を常に一定にできる。従って、エアーポンプ１４から送給される加圧空気の流れを一定にして、ミストノズル１２におけるミストの生成を安定した状態で行える。
【００１７】
本体ケース１の上部にスイッチ操作具４を配置すると、本体ケース１の周面にスイッチ操作具４が配置してある場合に比べて、噴霧器の外観をすっきりさせることができる。とくに、噴霧器を美容用のミスト器として使用する場合には、見た目の印象をシンプルなものとして、美容用のミスト器としてふさわしい印象を醸すことができる。また、ノズルケース１１の上壁４１でスイッチ操作具４を支持すると、本体ケース１の内面上部にスイッチ操作具４用の支持構造を設ける必要がないので、本体ケース１の内面構造を簡素化できる。これに伴い、本体ケース１を縦長筒状に構成する場合に、成形用金型の構造を簡素化して本体ケース１の成形を容易に行える。
【００１８】
ノズルケース１１の上壁４１にスイッチ窓４２を開口し、スイッチ窓４２の開口縁にシール体１００を装着して同窓４２を水密状に封止すると、水滴や塵埃などがスイッチ窓４２を介してノズルケース１１の内部に侵入するのをシール体１００で防止できる。従って、ノズルケース１１の内部に配置されるスイッチ４８やスイッチ基板などに水滴や塵埃が付着するのを一掃して、回路が短絡し、あるいはスイッチ４８が作動不良に陥るのを防止できる。
【００１９】
ミストノズル１２と給液管６８との接続部中心を、連結具４７と給液管６８との接続部中心よりも前方に位置させて、給液管６８の中途部の２個所に屈曲通路部７０を形成すると、屈曲通路部７０の内部を流動するミスト原液に流動抵抗を与えることができる。ミスト原液は、屈曲通路部７０を通過するごとに強制的に流動方向が変向され、流動方向が変わるごとに流動抵抗が作用するからである。また、流動抵抗が増加することにより、負圧力によってミストノズル１２内へ吸上げられるミスト原液の流動速度を低下することができるので、ミストを噴霧する初期状態において、ミストがノズル口５７から斜め上向きに噴霧されるのを防止することができる。さらに、給液管６８がクランク状に屈曲する分だけミストノズル１２のノズル口５７を本体ケース１の前側に位置させて、ミストノズル１２で生成したミストの全量を噴霧対象に噴出することができる。
【００２０】
左右のケース体１１Ｌ・１１Ｒの区画壁３５の接合部に、保持穴４３と、給気管６６の中途部を支持する管支持壁４４とを設けると、給気管６６の中途部を管支持壁４４で湾曲案内することにより、給気管６６の屈曲部６９を所定形状に保持できる。また、給気管６６の中途部を管支持壁４４で支持するので、エアーポンプ１４の吐出圧が周期的に変動する場合であっても、給気管６６が吐出圧の変動に同調して揺動くのを確実に防止できる。従って、エアーポンプ１４から給気管６６を介してミストノズル１２へ送給される加圧空気の流れを一定にして、ミストノズル１２におけるミストの生成をさらに安定した状態で行える。
【００２１】
ノズルケース１１の後方下側に電装ケース１０を配置し、その上部にエアーポンプ１４とモーター１５を組付けると、本体ケース１の内部に収容される電装ケース１０およびノズルケース１１のケース構造を無理のない状態で簡素化することができる。従って、電装ケース１０に対するエアーポンプ１４、モーター１５などの組付け、あるいはノズルケース１１に対するミストノズル１２や給気管６６などの組付け、あるいは部品交換などをより少ない手間で簡便に行うことができる。
【００２２】
電装ケース１０とノズルケース１１を締結具１０２で一体化して作動ユニット２を構成すると、ミストノズル１２、エアーポンプ１４、モーター１５などの殆どの部品を、本体ケース１の外で各ケース１０・１１に対して容易に組付けることができる。また、作動ユニット２を本体ケース１内に差込み装填したのち固定することで、タンク１３を除く殆どの部品を本体ケース１と一体化でき、噴霧器の組立に要する一連の手間を軽減できる。さらに、作動ユニット２を本体ケース１から取出すことで、殆どの部品を本体ケース１の外に取出すことができるので、部品交換を行うための分解作業や再組立作業を簡便化できる。
【図面の簡単な説明】
【００２３】
【図１】美容用ミスト器の縦断側面図である。
【図２】美容用ミスト器の概略を示す説明図である。
【図３】作動ユニットの分解側面図である。
【図４】美容用ミスト器の上部構造を示す縦断側面図である。
【図５】美容用ミスト器の正面図である。
【図６】美容用ミスト器の下部構造を示す縦断側面図である。
【図７】図６におけるＡ−Ａ線断面図である。
【図８】作動ユニットの組付途中状態を示す縦断側面図である。
【図９】図１におけるＢ−Ｂ線断面図である。
【図１０】図１におけるＣ−Ｃ線断面図である。
【図１１】美容用ミスト器の電装品の配置構造の概略を示す説明図である。
【図１２】美容用ミスト器の使用状態を示す側面図である。
【図１３】エアーポンプの別実施例を示す原理説明図である。
【発明を実施するための形態】
【００２４】
（実施例）  図１ないし図１２は、本発明に係る噴霧器を美容用のミスト器（以下、単にミスト器と言う。）に適用した実施例を示している。なお、本発明における前後、左右、上下とは、図１および図５に示す交差矢印と、各矢印の近傍に表記した前後、左右、上下の表示に従う。
【００２５】
図１および図２においてミスト器は、上下面が開口する縦長筒状の本体ケース１を基本構造体にして、その内部に作動ユニット２を収容して構成してある。本体ケース１の断面は前後方向の長軸を備えただ円形状に形成してあり、その左右幅は前後幅に比べて充分に小さく設定されて、主なユーザーである女性の手に馴染みやすく、しかも片手で掴みやすい大きさにしてある。本体ケース１の前壁の上部には円形のミスト口３が開口され、本体ケース１の上端（上部）にはスイッチノブ（スイッチ操作具）４が配置してある。また、本体ケース１の後面の上部寄りにはグリップ部５がなだらかに凹み形成してある（図１参照）。図２において符号６はキャップであり、不使用時にキャップ６を本体ケース１に被せ付けた状態では、ミスト口３およびスイッチノブ４の外面がキャップ６で覆われる。そのため、スイッチノブ４が誤ってオン操作されるのを防止できる。また、ミストノズル１２のノズル口５７やその周辺部に塵埃が付着し、あるいはノズル口５７に異物が入込んで目詰まりに陥ることなどを防止できる。さらに、キャップ６は、ミスト器が床面などに落下した場合の防護体としても機能しており、キャップ６の内面に面して配置された機器の破損を防止することにも役立っている。
【００２６】
図３に示すように作動ユニット２は、上下に長い電装ケース１０と、電装ケース１０の上部に組付けられる逆Ｌ字状のノズルケース１１を骨格構造にして、両ケース１０・１１にミスト生成構造とイオン発生構造の構成部品を組付けて構成する。ミスト生成構造は、ミスト口３の内側中央に配置されるミストノズル１２と、同ノズル１２の下方に配置されるタンク１３と、エアーポンプ１４と、同ポンプ１４を駆動するモーター１５と、２次電池（電池）１６を含む電装品部１７などで構成してある。電装品部１７には、制御回路が実装された回路基板１８と、樹脂モールド１９と、充電用のコネクター２０と、先の２次電池１６と、補助回路基板２２などが設けてある。
【００２７】
イオン発生構造は、先の樹脂モールド１９と、ミストノズル１２の上側に配置した電極ユニット２１と、補助回路基板２２などで構成してある。電流調整用の前段の回路群が補助回路基板２２に実装され、電流調整用の後段の回路が樹脂モールド１９の内部に封入してある。補助回路基板２２は、２次電池１６の側方空間に配置されて電装ケース１０に固定してある。
【００２８】
上記の各機器を本体ケース１の内部に整然と組込むために、本体ケース１の内部を区分壁２３で前室１Ａと後室１Ｂとに区分している。区分壁２３は本体ケース１と一体に形成されており、底開口の近傍から本体ケース１の過半上部にわたって、前壁に沿う状態で上下方向に連続している。区分壁２３の上端でノズルケース１１の下端壁を支持し、区分壁２３の下端と本体ケース１の底開口とが協同して内底壁２４を受止めている。この内底壁２４に作動ユニット２を締結して、作動ユニット２を本体ケース１と一体化するが、その詳細は後述する。
【００２９】
区分壁２３で区分した前室１Ａにタンク１３を収容し、後室１Ｂにエアーポンプ１４と、モーター１５と、２次電池１６を含む電装品部１７を収容すると、タンク１３から漏れ出したミスト原液が後室１Ｂ側へ流入するのを区分壁２３で阻止できる。従って、後室１Ｂに収容した電気機器に漏れ出したミスト原液が付着して生じる電気系統の故障、例えば短絡や発熱などの故障をよく防止できる。区分壁２３は、縦長筒状に形成された本体ケース１の補強構造体としても機能しており、本体ケース１の構造強度を増強することに役立っている。
【００３０】
電装ケース１０は縦長のプラスチック成形品からなり、本体ケース１と協同してノズルケース１１を支持しており、その上半部にエアーポンプ１４とモーター１５を収容する上収容部２５が後向きに開口する状態で形成してある。また、電装ケース１０の下半部には、樹脂モールド１９および２次電池１６を収容するモールド収容部２６と電池収容部２７とが、前向きに開口する状態で形成してある。回路基板１８は、モールド収容部２６と電池収容部２７の後側に配置されて、電装ケース１０に固定してあり、その前側に補助回路基板２２が固定してある。コネクター２０は、別途設けたソケットホルダー１０３に固定される。
【００３１】
エアーポンプ１４は、ダイヤフラムポンプからなり、その上端に吐出部２８と、空気をポンプ内部に導入するための吸気部２９とが、前後に隣接する状態でそれぞれ上向きに突設してある。この実施例では、エアーポンプ１４とモーター１５とが一体化してあるローリングポンプを適用した場合を示している。ローリングポンプ（エアーポンプ１４）の内部には複数個のダイヤフラムが設けてあり、これらのダイヤフラムを、モーター１５で回転駆動されて「皿回し運動」をする駆動体で上下操作することにより、吸気部２９から吸込んだ空気を加圧して吐出部２８から送出する。
【００３２】
図３に示すように、電装ケース１０の上面前部および前面上部には、それぞれ断面Ｔ字状の連結突起３０・３１が形成してあり、同ケース１０の下端には左右一対のねじボス３２が下向きに突設してある。ノズルケース１１を電装ケース１０の上面前部および前面上部で支持し、さらに連結突起３０・３１を介して電装ケース１０に連結し、ビス１０２で両ケース１０・１１を締結することにより、ノズルケース１１を電装ケース１０に対して上下、左右、前後に位置決めすることができる。
【００３３】
ノズルケース１１は、左右に２分割された左ケース体１１Ｌと右ケース体１１Ｒとで中空ケース状に構成したプラスチック成形品からなり、その内部が区画壁３５で前後に区分してある。ノズルケース１１の後部下面には、電装ケース１０の上面前部および前面上部で支持される段部３６が直交状に形成され、段部３６の横壁および縦壁に先の連結突起３０・３１に係合する切欠部３７と連結凹部３８が形成してある。ノズルケース１１の前壁には、ミスト口３に対応してミスト窓３９が開口され、下端壁にはタンク１３を連結するためのタンク開口４０が開口してある。
【００３４】
ノズルケース１１の上面を覆う上壁４１は、左ケース体１１Ｌと一体に形成されて、その中央に長円状のスイッチ窓４２が開口してある。区画壁３５の接合部には、後述する給気管６６を挟持固定して同管６６の移動を規制する保持穴４３が形成され、その下縁に沿って給気管６６の中途部を支持する管支持壁４４が部分円弧状（湾曲状）に形成してある。また、段部３６の横壁の接合部には、吐出部２８に連結された給気管６６の周面を挟持して、同管６６の移動を規制する保持穴４５が形成してある。保持穴４３の中心の高さ位置は、後述する継手部５８の中心の高さ位置と一致させてある。管支持壁４４は左ケース体１１Ｌ側の区画壁３５と一体に形成してある。
【００３５】
図４に示すように、区画壁３５より前側の区画には、ミストノズル１２と、電極ユニット２１と、タンク１３用の連結具４７が組付けてあり、後側の区画にはスイッチ基板が組付けられ、その上面にモーター１５への通電状態をオン・オフするスイッチ４８が実装してある。ミストノズル１２の左右側面にはＬ字状の装着突起４９が突設してあり（図３参照）、この装着突起４９を左右のケース体１１Ｌ・１１Ｒの内側面に設けた装着枠５０に係合することにより、ミストノズル１２をノズルケース１１と一体化できる。電極ユニット２１および連結具４７の左右側面にも、同様の四角形状の装着突起５１・５２が突設してあり、これらの突起５１・５２を左右のケース体１１Ｌ・１１Ｒの内側面に設けた装着枠５３・５４に係合することにより、電極ユニット２１および連結具４７をノズルケース１１と一体化できる。ノズルケース１１に固定した状態における電極ユニット２１の中心軸は、ミストノズル１２の水平の噴霧中心軸に対して下り傾斜している。
【００３６】
ミストノズル１２は、透明なプラスチック材を素材とする射出成形品からなり、その上部前面にミストを噴出するノズル口５７が開口され、上部後面と下面前部とのそれぞれに筒状の継手部５８・５９が突設してある。ノズル口５７は、ミスト口３を介して本体ケース１の外面に臨ませてある。図４に示すように、上部後面の継手部５８には給気口６０が開口され、この給気口６０に連続してノズル口５７へ向かって先すぼまり状の空気通路６１が形成してある。同様に、下面前部の継手部５９には、給液口６２が開口され、この給液口６２に連続してノズル口５７へ向かって上すぼまり状の液通路６３が形成してある。
【００３７】
前者継手部５８とエアーポンプ１４の吐出部２８とが、横臥Ｊ字状の給気管６６を介して接続され、後者継手部５９と連結具４７の出口部９３とが、クランク状に屈曲する給液管６８を介して接続してある。給気管６６および給液管６８は、それぞれ軟質で屈曲自在なシリコーンゴム製のチューブやプラスチック製のチューブで形成してある。給気管６６の屈曲形状を一定にするために、給気管６６と交差する区画壁３５に設けた保持穴４３で、給気管６６の中途部を遊動不能に挟持固定し、さらに、給気管６６の下面側を湾曲する管支持壁４４で支持している。また、段部３６の横壁の接合部に設けた保持穴４５で、吐出部２８に連結された給気管６６の周面を挟持固定している。このように、給気管６６の中途部を保持穴４３と管支持壁４４で湾曲案内し、給気管６６の下部を保持穴４５で保持すると、図４に示すように区画壁３５と吐出部２８との間の管路に形成される屈曲部６９の形状を常に一定にすることができる。
【００３８】
上記の保持穴４３は、左右のケース体１１Ｌ・１１Ｒの区画壁３５に形成した半円状の凹みを接合して形成されており、これら一対の凹みで給気管６６が挟持され支持されている。同様に保持穴４５は、左右のケース体１１Ｌ・１１Ｒの段部３６の横壁に形成した半円状の凹みを接合して形成されており、これら一対の凹みで給気管６６が挟持され支持されている。なお、保持穴４３・４５は、いずれか一方のケース体１１Ｌ（または１１Ｒ）に半長円状の凹みを形成し、他方のケース体１１Ｒ（または１１Ｌ）には凹みを形成せずに、給気管６６を挟持する形態であってもよく、要は、給気管６６が保持穴４３・４５で支持される構造であればよい。例えば、穴の凹み形状をＶ字状や台形状、あるいは多角形状に形成してもよく、さらに、区画壁３５および段部３６の横壁のそれぞれに半割り状のボスを一体に設けて、その対向面に形成した保持穴４３・４５で給気管６６を保持固定することができる。
【００３９】
給液管６８はクランク状に折曲がる状態で、ミストノズル１２の継手部５９と連結具４７の出口部９３とを接続している。詳しくは、ミストノズル１２の継手部５９と給液管６８との接続部中心を、連結具４７の出口部９３と給液管６８との接続部中心よりも前方に位置させて、給液管６８の中途部の２個所に屈曲通路部７０が形成してある。このように、給液管６８の中途部に屈曲通路部７０を形成すると、屈曲通路部７０の内部を流動するミスト原液の流動方向を強制的に変向させて流動抵抗を与えることができる。また、流動抵抗が増加することにより、負圧力によって液通路６３の上端から吸出されるミスト原液の流動速度を低下させて、ミストを噴霧する初期状態において、ミストがノズル口５７から斜め上向きに噴霧されるのを防止することができる。さらに、給液管６８がクランク状に屈曲する分だけミストノズル１２のノズル口５７を本体ケース１の前側に位置させることができる。
【００４０】
ミストノズル１２のノズル口５７の周囲とミスト口３との間の隙間を塞ぐために、ミスト口３の内面に凹面鏡状のミスト口カバー７２を嵌込み、その中央にミスト放出口７３を開口している（図５参照）。また、ミスト放出口７３の上側にイオン種放出窓７４を開口し、電極ユニット２１で生成されたイオン種を、イオン種放出窓７４を介してノズル口５７から噴霧されたミスト流へ向かって放出できるようにしている。ミスト口カバー７２の内面には、左右一対の係合腕７５が突設してあり、これらの係合腕７５をノズルケース１１に設けた一対の係合リブ７６に係合することにより、ミスト口カバー７２をノズルケース１１に固定している（図１０参照）。電極ユニット２１の前端と正対するイオン種放出窓７４の内面側には、指先が電極ユニット２１に触れるのを防ぐガード枠７７が設けてある。ミストノズル１２の後面下部にはＬＥＤ７８が密着配置してあり、このＬＥＤ７８をミスト噴出時に点灯することにより、ＬＥＤ７８から照射されてミストノズル１２で散乱された柔らかな光でミスト流を照らすことができる。
【００４１】
図４において電極ユニット２１は、筒状に形成されるプラスチック製のホルダー８０と、ホルダー８０の前面中央に固定される針状の中央電極８１と、中央電極８１の周囲を囲むリング状の対向電極８２と、両電極８１・８２の間の空間を絶縁する誘電筒８３などで構成する。中央電極８１は高圧リードを介してダイオード１３２に接続され、対向電極８２は接触電極を兼ねるスイッチノブ４とともにグランドリード１３３（図１１参照）に接続してある。グランドリード１３３は、中央電極（放電電極）８１、および対向電極８２に高圧のパルス電流を供給する電流調整用の回路のグランドライン１３４に接続してある。
【００４２】
タンク１３は、透明ないし半透明のプラスチック材で形成した上下に長いびん状のタンク本体８５と、タンク本体８５の上端に設けた接続部８６と、接続部８６の内面下部に固定される直管状の吸上パイプ８７などで構成してある。図９に示すように、タンク本体８５の断面はトンネル断面状に形成してある。接続部８６の上面の中央には、連結具４７に差込み連結される筒ボス８８が上向きに突設してあり、その周面にＯリング８９が装着してある（図２参照）。
【００４３】
先に説明したように、本体ケース１の断面は、女性の手に馴染みやすく、しかも片手で掴みやすくするために、図９および図１０に示すように前後に長いだ円形状に形成してある。さらに、本体ケース１を縦長筒状に形成してシンプルな外観形状としてある。こうした本体ケース１の外観上の印象を損なうことなく、タンク１３の大容量化を実現するために、タンク１３の上下長を大きく設定している。前室１Ａに収容した状態のタンク１３の上端は、エアーポンプ１４の上下中途部に達している。
【００４４】
上記のように、タンク１３を縦長構造にして大容量化を実現することにより、大量のミストが消費されるヘビーユース時にも、余裕を持ってミストを連続して供給することができる。また、縦長のタンク１３内にミスト原液を収容するので、ミスト器を大きく動かしながらミストを噴霧する場合でも、ミスト原液の液位が大きく変動し、あるいはミスト原液が前後左右に揺れ動くのを抑止できる。従って、ミストを安定した状態で連続して噴霧できる。
【００４５】
タンク１３は消耗品であって、予めタンク本体８５にミスト原液を充填した状態で販売され、ミスト原液を消費するごとに新規なタンク１３と交換して使用する。ミスト原液としては、顔肌に潤いを与える化粧水や水、あるいは、髪に潤いを与える髪用の美容用液などが用意してある。ミスト原液の残量レベルを確認するために、本体ケース１の前壁の下部に透明なレベル確認窓９０を設けている。ユーザーは、レベル確認窓９０を介してタンク本体８５内の残量レベルを視認することにより、新規なタンク１３を用意すべき時期が近付いたことを確認できる。
【００４６】
タンク１３の接続部８６をミストノズル１２に連通するために、前室１Ａの上端、具体的にはノズルケース１１の下端壁に連結具４７を固定している。連結具４７の下面側には、タンク１３の接続部８６を外嵌装着するための筒壁９２が下向きに突設され、連結具４７の上面側には給液管６８を接続するための出口部９３が上向きに突設してある。図４に示すように、タンク１３の接続部８６を連結具４７の筒壁９２に差込み装着した状態においては、筒ボス８８が連結具４７に設けた連結穴（図示していない）に嵌合して、両者の隙間がＯリング８９でシールされる。連結穴の下部は上すぼまりテーパー状に形成してある。なお、図示していないが、接続部８６の内部には、タンク本体８５の内部が負圧状態になるのを防ぐ負圧防止弁が設けてある。
【００４７】
図４においてスイッチノブ４は、ノズルケース１１の上壁４１の上面側に配置されて本体ケース１の上端の開口を塞いでおり、その前部下面に設けたピン９８を中心にして先の上壁４１で上下揺動可能に支持されている。スイッチノブ４はプラスチック成形品の表面に金属めっきを施して形成してあり、その上面には指掛け凹部９９が形成してある。また、スイッチノブ４の下面にはシールゴム（シール体）１００を介してスイッチ４８をオン・オフする操作ピン１０１が設けてある。上記のように、ノズルケース１１の上壁４１がスイッチノブ４を支持するためのスイッチベースを兼ねるようにすると、本体ケース１の側にピン９８を支持するためのブラケットを設ける必要がないので、縦長筒状に構成された本体ケース１の成形を容易に行える。スイッチノブ４は、グランドリード１３３に接続されて対向電極８２と同じ電位になっており、スイッチノブ４に触れたユーザーも対向電極８２と同じ電位になる。図示していないが、グランドライン１３４とスイッチノブ４との間には抵抗値が大きな抵抗が介在させてある。スイッチノブ４は、アルミニウム、銅、鋼板などの金属を素材にして形成してあってもよい。
【００４８】
シールゴム１００は、先の上壁４１に形成したスイッチ窓４２を上面側から塞いで、水滴あるいは塵埃などがノズルケース１１の内部に侵入するのを防止している。不使用状態におけるスイッチノブ４は、本体ケース１の上開口面に沿って開口前部から開口後部へ向かって下り傾斜しており、この状態のスイッチノブ４を、図示していない復帰ばねとシールゴム１００の弾性に抗して押下げるとスイッチ４８がオンされる。なお、スイッチ４８は自己復帰型のスイッチであるので、スイッチノブ４を人指し指で押下げている間のみモーター１５が起動され、人指し指による押下げ動作を解除するとモーター１５は停止する。図４に示すように、ノズルケース１１の上壁４１の周囲には、本体ケース１の内面壁に密着するＯリング９７が装着してある。
【００４９】
各機器が組付けられた電装ケース１０に、タンク１３を除く各機器が組付けられたノズルケース１１を組付けることにより、電装ケース１０とノズルケース１１を一体化して作動ユニット２を構成することができる。詳しくは、各機器が組付けられた電装ケース１０の前上隅に、各機器が組付けられたノズルケース１１の段部３６を接合する。さらに、左右のケース体１１Ｌ・１１Ｒに設けた切欠部３７と連結凹部３８を、電装ケース１０側の連結突起３０・３１に係合することにより、両ケース１０・１１を位置決めする。この状態で左右のケース体１１Ｌ・１１Ｒをビス（締結具）１０２（図４参照）で締結することにより、電装ケース１０とノズルケース１１を一体化して作動ユニット２とする。
【００５０】
得られた作動ユニット２は、図８に示すように、後室１Ｂ内に電装ケース１０を差込装着し、ノズルケース１１を前室１Ａの上部に嵌込んで、その下端を区分壁２３の上端に接当する。この状態でソケットホルダー１０３を水平姿勢にして電装ケース１０の下端にあてがい、本体ケース１の後面下部に開口した円形のコネクター開口に表示リング１０４を嵌込む。さらに、内底壁２４を本体ケース１の底開口に装着した状態で、ビス１０５を電装ケース１０のねじボス３２にねじ込むことにより、作動ユニット２を本体ケース１に固定できる。表示リング１０４は、透明なプラスチック材でリング状に形成してあり、その上面側に回路基板１８に実装したＬＥＤ１０６の照射光を導入する導光部１０７が設けてある。この状態で、ミスト口カバー７２をミスト口３の内部に差込み装填してノズルケース１１に固定する。
【００５１】
表示リング１０４およびＬＥＤ１０６は、２次電池１６が充電中であることを表示し、さらに、２次電池１６の電力残量がどの程度であるかを表示するために設けてある。ＬＥＤ１０６は３色ＬＥＤからなり、ＬＥＤ１０６の発光色を変更して、あるいはＬＥＤ１０６を点滅させるなどにより、充電状態であることを表示し、あるいは電力残量を表示することができる。図６に示すように表示リング１０４の中央には、コネクター２０の端部を露出させるためのコネクター窓１０８が開口してあり、この窓１０８を介して充電用のプラグをコネクター２０に着脱する。
【００５２】
上記の組立状態におけるエアーポンプ１４およびモーター１５は、後壁を間にしてグリップ部５に臨んでいる。これは、グリップ部５にユーザーの手の平をあてがって本体ケース１を握り持った状態において、重量の大きなエアーポンプ１４とモーター１５を手の平の近傍に位置させて、持ち重りしない状態で本体ケース１を掴み保持できるようにするためである。また、持ち重りしない状態で本体ケース１を掴み保持することにより、例えばミスト器を頭の周りに大きく動かしながら噴霧するような場合であっても、ミストを軽快に噴霧できるからである。さらに、ユーザーの手の平を内凹み状のグリップ部５で受止めることにより、手が上下あるいは周方向へずれ動くのを確実に防止できる。
【００５３】
本体ケース１の底開口を開閉して、タンク１３を前室１Ａに出入れ可能とするために底蓋１１１を設けている。図２、図６および図７に示すように底蓋１１１は、無端環状の蓋周縁壁１１２を備えた上向きに開口するだ円形の皿状に形成されており、その中央下面側に操作ノブ１１３を収容するための操作凹部１１４が上向きに膨出する状態で形成してある。蓋周縁壁１１２と操作凹部１１４の膨出壁との間の底壁は、タンク１３から漏洩したミスト原液を受止める液受凹部１１５として機能する。液受凹部１１５は蓋周縁壁１１２に沿って周回状に形成してあり、タンク本体８５の底面と対向する液受凹部１１５には、タンク１３を連結具４７に向かって押付けるゴム製の押圧ピース１１６が固定してある。操作凹部１１４を囲む底蓋１１１の下面は平坦に形成してあるので、不使用状態におけるミスト器は本体ケース１を起立する状態で載置収納できる。
【００５４】
底蓋１１１と内底壁２４との間には、本体ケース１に装着した底蓋１１１をロック保持するロック機構が設けてある。ロック機構は、操作凹部１１４に収容される操作ノブ１１３と、操作ノブ１１３と一体に設けられる左右一対の係合腕１１９と、内底壁２４の下面側に設けた左右一対の蓋係合枠１２０と、操作凹部１１４の上壁上面に配置されるスライド板１２１などで構成してある。一対の係合腕１１９は、底蓋１１１に形成したスライド溝を介して底蓋１１１の上方に突出している。操作ノブ１１３とスライド板１２１は、操作ノブ１１３に設けたピン１２２で同行移動可能に一体化してある。ロック状態（図６に示す状態）における係合腕１１９は蓋係合枠１２０と係合して、底蓋１１１が本体ケース１から分離するのを防止している。また、操作ノブ１１３を図６において後側へスライド操作すると、係合腕１１９と蓋係合枠１２０との係合状態が解除されるので、底蓋１１１を本体ケース１から分離することができる。
【００５５】
蓋係合枠１２０は内底壁２４を射出成形する際に一体に形成するが、その際に蓋係合枠１２０の形成位置の上側に、左右一対の金型の抜跡穴１２３が形成されてしまう（図７参照）。この抜跡穴１２３から電装品部１７へ液滴等が浸入するのを防ぐために、ソケットホルダー１０３の下面に設けた左右一対の栓状突起１２４で抜跡穴１２３を塞いでいる。また、栓状突起１２４を抜跡穴１２３と係合することにより、ソケットホルダー１０３が前後にがたつくのを防止できるので、コネクター２０に対する充電用プラグの着脱を的確に行うことができる。
【００５６】
図１１にミスト器の回路構成の概略を示す。ミスト器の使用時にスイッチノブ４をオン操作すると、回路基板１８に実装された制御回路を介してモーター１５が回転駆動され、同時にイオン発生構造を構成する電流調整用の回路が作動して、放電電極となる中央電極８１にコロナ放電用の高圧電流が供給される。電流調整用の前段回路は、２次電池１６の電流を交流に変換する発振回路１２７と、発振回路１２７で生成されたパルス電流を昇圧する第１の昇圧回路１２８と、昇圧回路１２８で１００Ｖにまで昇圧されたパルス電流を整流する整流回路１２９と、整流回路１２９で整流された直流電流を再度パルス電流に変換するパルス発生回路１３０とで構成する。
【００５７】
電流調整用の後段回路は、パルス発生回路１３０から出力されるパルス電流を４ｋＶにまで昇圧する第２の昇圧回路１３１と、ミストの帯電極性を設定するダイオード１３２とで構成する。先に説明したように、電流調整用の各回路のうち、発振回路１２７からパルス発生回路１３０までが補助回路基板２２に実装され、昇圧回路１３１とダイオード１３２とが樹脂モールド１９内に封入してある。
【００５８】
電流調整用の各回路で調整された高圧電流が、中央電極８１と対向電極８２との間に供給されると、コロナ放電により中央電極８１から電子が放出されて空気中の酸素分子と結合し、負電荷あるいは正電荷のイオン種となる。生成されたイオン種は、ノズル口５７から噴出される高速の空気流に引き込まれて、空気流とともに噴出されたミストに接触してミストをマイナス電位あるいはプラス電位に帯電させる。ダイオード１３２が中央電極８１へ向かって順方向に接続してある場合には、ミストはプラスに帯電され、ダイオード１３２が中央電極８１へ向かって逆方向に接続してある場合には、ミストはマイナスに帯電される。
【００５９】
タンク１３は底蓋１１１を取外した状態で、本体ケース１の底開口の側から前室１Ａに出入れする。そのため、タンク１３を前室１Ａに差込み装填するとき、細長いタンク１３の接続部８６の中心と、連結具４７の筒壁９２の中心とを正しく一致させるのが難しくなる。このような煩わしさを解消するために、図４に示すように、区分壁２３の上部に位置決め部１３５と、位置決めガイド１３６を設けている。
【００６０】
上記のように、前室１Ａの上部に位置決め部１３５と位置決めガイド１３６を形成すると、タンク１３を前室１Ａに差込み終える直前に、タンク本体８５の平坦な肩部を位置決めガイド１３６で位置決め部１３５へ向かって移動案内できる。従って、タンク１３を単に前室１Ａに差込み操作するだけで、接続部８６の中心と連結具４７の筒壁９２の中心とを一致させて、連結具４７に対するタンク１３の連結を容易に行うことができる。なお、タンク１３を連結具４７に連結する場合には、湾曲する前壁がトンネル断面状のタンク１３の湾曲壁を大まかに位置決めした状態で案内し、さらにタンク１３の平坦な肩部を位置決め部１３５が受止めて、タンク１３の周方向の姿勢を矯正するので、常に的確に接続部８６の中心と筒壁９２の中心とを一致させることができる。
【００６１】
ミスト器を使用する場合には、図１２に示すように、グリップ部５にユーザーの手の平をあてがい、本体ケース１の左右壁を親指およびその付け根と、中指、薬指、小指の３指とで挟み保持し、さらに、人指し指でスイッチノブ４を押下げてモーター１５を起動させる。モーター１５の起動と同時にエアーポンプ１４が作動して、加圧された空気が給気管６６を介してミストノズル１２へ送給され、空気通路６１によって絞られた流速の速い空気がノズル口５７から吹出される。そのため、液通路６３の空気通路６１との交差部分には大きな負圧が作用し、この負圧によってタンク１３内のミスト原液が、吸上パイプ８７と、連結具４７と給液管６８を介して吸上げられる。さらに、吸上げられたミスト原液は、液通路６３の上端においてミスト化されて加圧空気とともにノズル口５７から吹出される。ミスト原液が例えば化粧水である場合には、ノズル口５７から吹出されたミストを顔肌に吹付ける。
【００６２】
モーター１５が起動するのと同時にイオン発生構造も起動され、各回路１２７〜１３２で調整された高圧（４ｋＶ）のパルス電流が高圧リードを介して中央電極８１に供給される。これに伴い、中央電極８１と対向電極８２との間でコロナ放電が生じ、中央電極８１から放出された電子が空気中の酸素分子と結合してイオン種となり、このイオン種がノズル口５７から噴出される高速の空気流に引き込まれてミストに接触し、ミストをマイナス電位あるいはプラス電位に帯電させる。この状態におけるユーザーの顔肌（人体）は、スイッチノブ４に接触する指先を介して対向電極８２と同じグランド電位になっているので、中央電極８１から顔肌へ向かって電気力線が形成され、イオン種で帯電されたミストを顔肌へ向かって誘引させることができる。
【００６３】
上記のように、中央電極８１と対向電極８２との間に高電圧を印加してイオン種を生成し、生成されたイオン種をミストノズル１２から噴出されるミストに接触させると、ミストをマイナス電位あるいはプラス電位に帯電されたミストを的確に生成できる。また、指先がスイッチノブ４に接触している状態においては、人体の電位を対向電極８２の電位と同じ電位にすることができるので、帯電されたミストを安定した状態で人体に引寄せ吸着させることができる。因みに、人体は通常プラスに帯電しているので、マイナスに帯電したミストを生成することにより、ミストを人体に引寄せて吸着させることができる。
【００６４】
上記のようにミスト器を使用する状態では、スイッチノブ４がオン操作されるのと同時に、ミストノズル１２の後に配置したＬＥＤ７８が発光する。ＬＥＤ７８から照射された光は、透明のミストノズル１２を通過する間に繰り返し反射され散乱された状態で、ノズル口５７の周囲壁からミスト流へ向かって放出される。そのため、散乱された柔らかな光でミスト流を照らして、ＬＥＤ７８が発光する色に染めることができるので、幻想的な雰囲気を演出することができる。ＬＥＤ７８はパイロットランプを兼ねており、スイッチノブ４がオン・オフ操作されるのに対応して点灯し、あるいは消灯する。
【００６５】
上記のミスト器（噴霧器）は、以下の態様で実施することができる。
ミスト発生部と電極ユニット（放電電極）２１を有し、ミスト発生部で生成されるミストと、電極ユニット２１で生成されるイオン種を接触させて、帯電されたミストを生成できる噴霧器であって、
電極ユニット２１に電圧を印加する回路と、前記回路のグランドライン１３４に接続される接触電極とを備え、
接触電極が、ミスト発生部および電極ユニット２１を駆動するスイッチ４８のスイッチ操作具４に設けてある噴霧器。
【００６６】
上記構成の噴霧器によれば、マイナス電位あるいはプラス電位に帯電されたミストを的確に生成できる。例えば、人体は通常プラスに帯電しているので、マイナスに帯電したミストを生成することにより、ミストを人体に吸着させることができる。また、人体の電位を、積極的に電極ユニット２１に電圧を印加する回路のグランド電位と同じ電位にすることができるので、帯電されたミストを安定した状態で人体に引寄せて吸着させることができる。
【００６７】
上記のミスト発生部および電極ユニット２１を駆動するスイッチ４８が、自己復帰型スイッチで構成されており、
スイッチ操作具４がオン状態に切換え操作された状態において、ミスト発生部および電極ユニット２１を連続して駆動でき、
指先がスイッチ操作具４から離れて、同操作具４がオフ状態に切換え操作された状態において、ミスト発生部および電極ユニット２１が作動を停止するように構成してある噴霧器。
【００６８】
上記のように、噴霧器を使用する場合のユーザーは、必ず接触電極を兼ねるスイッチ操作具４に触れた状態でスイッチ４８を切換え操作するので、ユーザーは意識することもなく帯電されたミストを人体に引寄せる機能を発揮できる。
【００６９】
上記のミスト発生部はミストノズル１２で構成されており、
ミストノズル１２は、加圧空気を流動案内する空気通路６１と、ミスト原液を流動案内する液通路６３と、ノズル口５７とを備えており、
液通路６３の空気通路６１との交差部分に作用する負圧の作用でミスト原液を吸上げてミスト化し、ノズル口５７から空気流とともに噴出できる噴霧器。
【００７０】
図１３はエアーポンプ１４のさらに別の実施例を示している。そこでは、リニアモーター（モーター）１５の上下それぞれにダイヤフラムポンプ（エアーポンプ）１４が配置してある電磁ポンプで加圧空気を生成するようにした。リニアモーター１５は、ハウジング１４０の内部に、Ｅ型コア１４１とバックコア１４２を対向配置し、両コア１４１・１４２の間に振動子１４３を配置して構成してある。両コア１４１・１４２のうち、Ｅ型コア１４１のみにコイルが巻回してある。振動子１４３には永久磁石が組付けてあり、両コア１４１・１４２と永久磁石との吸引作用あるいは反発作用で振動子１４３を往復駆動して、振動子１４３の上下両端に設けたダイヤフラム１４４を上下操作し、吸気部２９から吸込んだ空気を加圧して吐出部２８から送出する。符号１４５は吸気弁、符号１４６は排気弁である。
【００７１】
上記の実施例では、本体ケース１の断面形状を前後に長いだ円形状に形成したが、その必要はなく、例えば前後に長い長円状や卵形などの断面形状に形成してあってもよい。本体ケース１は、前後、左右、あるいは上下に２分割されたケース体を接合して縦長筒状に形成することができる。また、上記の実施例では、本体ケース１の上開口面を塞ぐスイッチ操作具４の全体が、ピン９８の回りに上下揺動するようにしたがその必要はなく、本体ケース１の上開口面を塞ぐ壁面の一部にスイッチ操作具４を設けて、スイッチ４８を切換え操作することができる。その場合のスイッチ操作具４は、例えば押ボタン状に形成し、あるいはスライドノブ状に形成することができる。
【００７２】
給気管６６および給液管６８は、必要があれば硬質プラスチック製の管材あるいは金属管で形成することができ、その場合には直管状の管材を折り曲げて、給気管６６および給液管６８を形成することができる。区分壁２３は垂直の壁として形成する必要はなく、前後いずれかへ傾斜する状態で形成することができる。管支持壁４４は樋状に形成することができる。締結具１０２としては、ビス、ボルト、ナットのいずれであってもよい。本発明に係る噴霧器は、個人用と業務用のいずれであっても使用でき、のどおよび口腔内に薬液のミストを噴霧供給する吸入器としても使用することができる。
【符号の説明】
【００７３】
１  本体ケース
２  作動ユニット
３  ミスト口
４  スイッチ操作具（スイッチノブ）
１０  電装ケース
１１  ノズルケース
１２  ミストノズル
１３  タンク
１４  エアーポンプ
１５  モーター
１６  電池（２次電池）
２１  電極ユニット
２８  吐出部
３５  区画壁
４３  保持穴
４４  管支持壁
４７  連結具
５７  ノズル口
６０  給気口
６６  給気管
６８  給液管
【図１】
2015051410.tif 000003
【図２】
2015051410.tif 000004
【図３】
2015051410.tif 000005
【図４】
2015051410.tif 000006
【図５】
2015051410.tif 000007
【図６】
2015051410.tif 000008
【図７】
2015051410.tif 000009
【図８】
2015051410.tif 000010
【図９】
2015051410.tif 000011
【図１０】
2015051410.tif 000012
【図１１】
2015051410.tif 000013
【図１２】
2015051410.tif 000014
【図１３】
2015051410.tif 000015